【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】
異なる波長（λ1 ＜λ2 ）の光ビームをそれぞれ出射する２つのコヒーレント光源と、光合波手段と、波長板とを備え、前記２つのコヒーレント光源の各々から出射される前記光ビームが、前記光合波手段によって同一光軸上を伝搬するように合波され、前記波長板を透過した後に、光ディスク上に集光されるように構成されており、前記波長板の遅延量λが、３／４・λ2 ＜λ＜５／４・λ1 の範囲にある光ピックアップ。
【請求項２】
異なる波長（λ1 ＜λ2 ）の光ビームをそれぞれ出射する２つのコヒーレント光源と、光合波手段と、波長板とを備え、前記２つのコヒーレント光源の各々から出射される前記光ビームが、前記光合波手段によって同一光軸上を伝搬するように合波され、前記波長板を透過した後に、光ディスク上に集光されるように構成されており、前記波長板の遅延量λが、λ1 ／４の略奇数倍であり、かつ、λ2 ／４の略奇数倍である光ピックアップ。
【請求項３】
前記波長板が複屈折の波長分散の大きい材料から構成され、前記波長板の遅延量λが、波長λ1 の前記光ビームに対してλ1 ／４の（２ｎ＋３）倍であり、かつ、波長λ2 の前記光ビームに対してλ2 ／４の（２ｎ＋１）倍（但し、ｎ＝０、１、２、・・・）である請求項２に記載の光ピックアップ。
【請求項４】
前記２つのコヒーレント光源の波長が、それぞれ３７０ｎｍ＜λ1 ＜４３０ｎｍ、６３５ｎｍ＜λ2 ＜６９０ｎｍの範囲にある請求項１〜３のいずれかに記載の光ピックアップ。
【請求項５】
互いに異なる波長（λ1 ＜λ2 ・・・＜λn ）の光ビームをそれぞれ出射するｎ個（ｎ＞２）のコヒーレント光源と、（ｎ−１）個の光合波手段とを備え、波長λ1 の前記光ビームが（ｎ−１）個の前記光合波手段の全てを透過し、他の波長の前記光ビームがそれぞれの前記光ビームを出射する前記コヒーレント光源に対応して設けられた前記光合波手段で反射することにより、前記異なる波長の全ての前記光ビームが同一光軸上を伝搬するように合波される光ピックアップ。
【請求項６】
互いに異なる波長（λ1 ＜λ2 ＜・・・）の光ビームをそれぞれ出射し、かつ、光ディスクからの反射ビームを検出する検出光学系がそれぞれ付加された複数のコヒーレント光源と、光合波手段と、位相可変型波長板とを備え、前記検出光学系のうちの少なくとも１つが偏光分離手段を利用して構成され、かつ、前記複数のコヒーレント光源の各々から出射される前記光ビームが、前記光合波手段によって同一光軸上を伝搬するように合波された後に、前記位相可変型波長板を透過して前記光ディスクに導かれるように構成されており、前記位相可変型波長板の結晶主軸と前記光ディスクの半径方向とが互いに平行又は垂直で、かつ、前記合波された光ビームの偏光方向が前記光ディスクの半径方向に対して４５度傾いている光ピックアップ。
【請求項７】
前記光合波手段が誘電体多層膜ミラーである請求項１〜６のいずれかに記載の光ピックアップ。
【請求項８】
互いに異なる波長（λ1 ＜λ2 ＜・・・）の光ビームをそれぞれ出射し、かつ、光ディスクからの反射ビームを検出する検出光学系がそれぞれ付加された複数のコヒーレント光源と、位相可変型波長板とを備え、前記検出光学系のうちの少なくとも１つが偏光分離手段を利用して構成され、前記位相可変型波長板が前記偏光分離手段の後方に位置する光ピックアップ。
【請求項９】
互いに異なる波長（λ1 ＜λ2 ＜・・・）の光ビームをそれぞれ出射し、かつ、光ディスクからの反射ビームを検出する検出光学系がそれぞれ付加された複数のコヒーレント光源と、位相可変型波長板とを備え、前記位相可変型波長板が屈折率の波長分散関係の異なる２つの液晶材料から構成されており、前記２つの液晶材料の配向方向が互いに垂直で、かつ、前記位相可変型波長板によって得られる位相差φが、波長λn ＜λn+1 に対してφn ＜φn+1 である光ピックアップ。
【請求項１０】
前記位相可変型波長板が屈折率の波長分散関係の異なる２つの液晶材料から構成されており、前記２つの液晶材料の配向方向がお互いに垂直で、かつ、前記位相可変型波長板によって得られる位相差φが、波長λn ＜λn+1 に対してφn ＜φn+1 である請求項６又は８に記載の光ピックアップ。
【請求項１１】
互いに異なる波長（λ1 ＜λ2 ＜・・・）の光ビームをそれぞれ出射し、かつ、光ディスクからの反射ビームを検出する検出光学系がそれぞれ付加された複数のコヒーレント光源と、位相可変型波長板とを備え、前記位相可変型波長板が屈折率の波長分散関係の異なる液晶材料とフィルムとの組合わせから構成されており、前記液晶材料の配向方向と前記フィルムの配向方向とが互いに垂直で、かつ、前記位相可変型波長板によって得られる位相差φが、波長λn ＜λn+1 に対してφn ＜φn+1 である光ピックアップ。
【請求項１２】
前記位相可変型波長板が屈折率の波長分散関係の異なる液晶材料とフィルムとの組合わせから構成されており、前記液晶材料の配向方向と前記フィルムの配向方向とが互いに垂直で、かつ、前記位相可変型波長板によって得られる位相差φが、波長λn ＜λn+1 に対してφn ＜φn+1 である請求項６又は８に記載の光ピックアップ。
【請求項１３】
前記複数のコヒーレント光源が異なる波長（λ1 ＜λ2 ＜λ3 ）の光ビームをそれぞれ出射する３つのコヒーレント光源であり、前記３つのコヒーレント光源の波長が、それぞれ３７０ｎｍ＜λ1 ＜４３０ｎｍ、６３５ｎｍ＜λ2 ＜６９０ｎｍ、７６０ｎｍ＜λ3 ＜８１０ｎｍの範囲にある請求項５、６、８、９又は１１のいずれかに記載の光ピックアップ。
【請求項１４】
前記位相可変型波長板が液晶材料から構成され、前記液晶材料への印加電圧を調整することによって複屈折性が変化する請求項６、８又は９のいずれかに記載の光ピックアップ。
【請求項１５】
同心円状の領域に分割され、前記コヒーレント光源と前記光ディスクとの間の光路中に挿入された可変位相板と、前記コヒーレント光源の各々から出射される各波長の光ビームを前記光ディスク上に集光する対物レンズとをさらに備え、前記可変位相板によって前記対物レンズで発生する球面収差が補償される請求項１〜１４のいずれかに記載の光ピックアップ。
【請求項１６】
互いに異なる波長（λ1 ＜λ2 ＜・・・）の光ビームをそれぞれ出射し、かつ、光ディスクからの反射ビームを検出する検出光学系がそれぞれ付加された複数のコヒーレント光源と、位相可変型波長板とを備え、前記検出光学系のうちの少なくとも１つが偏光分離手段を利用して構成され、前記位相可変型波長板が前記偏光分離手段の後方に位置している光ピックアップを具備し、前記偏光分離手段を利用した構成された前記検出光学系が付加された前記コヒーレント光源からの前記光ビームに対し、前記検出光学系に含まれるフォトディテクタにより、前記光ディスクからの前記反射ビームの前記偏光分離手段を透過した後の光量を検出し、その検出結果に基づいて前記位相可変型波長板の位相変調を調整することにより、前記偏光分離手段を透過した後の前記反射ビームの光量が制御される光情報記録再生装置。
【請求項１７】
互いに異なる波長（λ1 ＜λ2 ＜・・・）の光ビームをそれぞれ出射し、かつ、光ディスクからの反射ビームを検出する検出光学系がそれぞれ付加された複数のコヒーレント光源と、位相可変型波長板とを備え、前記検出光学系のうちの少なくとも１つが偏光分離手段を利用して構成された光ピックアップを具備し、前記偏光分離手段を利用して構成された前記検出光学系が付加された前記コヒーレント光源からの前記光ビームに対し、前記位相可変型波長板の位相変調と前記光ディスクで生じる片道の位相変調との和がｎπ／４（但し、ｎ＝１、３、５、７、・・・）となるように制御される光情報記録再生装置。
【請求項１８】
互いに異なる波長（λ1 ＜λ2 ＜・・・）の光ビームをそれぞれ出射し、かつ、光ディスクからの反射ビームを検出する検出光学系がそれぞれ付加された複数のコヒーレント光源と、位相可変型波長板とを備え、前記検出光学系のうちの少なくとも１つが偏光分離手段を利用して構成された光ピックアップを具備し、前記偏光分離手段を利用して構成された前記検出光学系が付加された前記コヒーレント光源からの前記光ビームに対し、前記位相可変型波長板が１／４波長板として作用するように制御される光情報記録再生装置。
【請求項１９】
前記位相可変型波長板が屈折率の波長分散関係の異なる２つの液晶材料から構成されており、前記２つの液晶材料の配向方向がお互いに垂直で、かつ、前記位相可変型波長板によって得られる位相差φが、波長λn ＜λn+1 に対してφn ＜φn+1 である請求項１６〜１８のいずれかに記載の光情報記録再生装置。
【請求項２０】
前記位相可変型波長板が屈折率の波長分散関係の異なる液晶材料とフィルムとの組合わせから構成されており、前記液晶材料の配向方向と前記フィルムの配向方向とが互いに垂直で、かつ、前記位相可変型波長板によって得られる位相差φが、波長λn ＜λn+1 に対してφn ＜φn+1 である請求項１６〜１８のいずれかに記載の光情報記録再生装置。
【請求項２１】
前記複数のコヒーレント光源が異なる波長（λ1 ＜λ2 ＜λ3 ）の光ビームをそれぞれ出射する３つのコヒーレント光源であり、前記３つのコヒーレント光源の波長が、それぞれ３７０ｎｍ＜λ1 ＜４３０ｎｍ、６３５ｎｍ＜λ2 ＜６９０ｎｍ、７６０ｎｍ＜λ3 ＜８１０ｎｍの範囲にある請求項１６〜２０のいずれかに記載の光情報記録再生装置。
【請求項２２】
前記位相可変波長板が液晶材料から構成され、前記液晶材料への印加電圧を調整することによって複屈折性が変化する請求項１６〜１８のいずれかに記載の光情報記録再生装置。
【請求項２３】
同心円状の領域に分割され、前記コヒーレント光源と前記光ディスクとの間の光路中に挿入された可変位相板と、前記コヒーレント光源の各々から出射される各波長の光ビームを前記光ディスク上に集光する対物レンズとをさらに備え、前記可変位相板によって前記対物レンズで発生する球面収差が補償される請求項１６〜２２のいずれかに記載の光情報記録再生装置。
【請求項２４】
屈折率の波長分散関係の異なる２つの液晶材料から構成されており、前記２つの液晶材料の配向方向がお互いに垂直で、かつ、得られる位相差φが、波長λn ＜λn+1 に対してφn ＜φn+1 である位相可変型波長板。
【請求項２５】
屈折率の波長分散関係の異なる液晶材料とフィルムとの組合わせから構成されており、前記液晶材料の配向方向と前記フィルムの配向方向とが互いに垂直で、かつ、得られる位相差φが、波長λn ＜λn+1 に対してφn ＜φn+1 である位相可変型波長板。
【手続補正２】
【補正対象書類名】明細書
【補正対象項目名】００２４
【補正方法】削除
【補正の内容】
【手続補正３】
【補正対象書類名】明細書
【補正対象項目名】００２５
【補正方法】削除
【補正の内容】
【手続補正４】
【補正対象書類名】明細書
【補正対象項目名】００２６
【補正方法】変更
【補正の内容】
【００２６】
また、本発明に係る光ピックアップの第５の構成は、互いに異なる波長（λ1 ＜λ2 ＜・・・）の光ビームをそれぞれ出射し、かつ、光ディスクからの反射ビームを検出する検出光学系がそれぞれ付加された複数のコヒーレント光源と、位相可変型波長板とを備え、前記検出光学系のうちの少なくとも１つが偏光分離手段を利用して構成され、かつ、前記位相可変型波長板が前記偏光分離手段の後方に位置することを特徴とする。この光ピックアップの第５の構成によれば、検出光学系のうちの少なくとも１つが偏光分離手段を利用して構成されている場合であっても、検出用フォトディテクタ上に導かれる光量を一定に保つことが可能となる。
【手続補正５】
【補正対象書類名】明細書
【補正対象項目名】００２７
【補正方法】変更
【補正の内容】
【００２７】
また、本発明に係る光ピックアップの第６の構成は、互いに異なる波長（λ1 ＜λ2 ＜・・・）の光ビームをそれぞれ出射し、かつ、光ディスクからの反射ビームを検出する検出光学系がそれぞれ付加された複数のコヒーレント光源と、位相可変型波長板とを備え、前記位相可変型波長板が屈折率の波長分散関係の異なる２つの液晶材料から構成されており、前記２つの液晶材料の配向方向が互いに垂直で、かつ、前記位相可変型波長板によって得られる位相差φが、波長λn ＜λn+1 に対してφn ＜φn+1 であることを特徴とする。この光ピックアップの第６の構成によれば、それぞれの波長の光に対してほぼ１／４波長板として作用することのできる位相可変型波長板を実現することができ、偏光性の検出光学系を用いた場合であっても、安定に信号の検出を行うことができる。また、液晶材料への印加電圧を調整することによって特性の微調整を行うことができるので、環境温度が変化等した場合であっても、安定に１／４波長板として作用させることができる。
【手続補正６】
【補正対象書類名】明細書
【補正対象項目名】００２８
【補正方法】変更
【補正の内容】
【００２８】
また、前記本発明の光ピックアップの第４又は第５の構成においては、前記位相可変型波長板が屈折率の波長分散関係の異なる２つの液晶材料から構成されており、前記２つの液晶材料の配向方向がお互いに垂直で、かつ、前記位相可変型波長板によって得られる位相差φが、波長λn ＜λn+1 に対してφn ＜φn+1 であるのが好ましい。
【手続補正７】
【補正対象書類名】明細書
【補正対象項目名】００２９
【補正方法】変更
【補正の内容】
【００２９】
また、本発明に係る光ピックアップの第７の構成は、互いに異なる波長（λ1 ＜λ2 ＜・・・）の光ビームをそれぞれ出射し、かつ、光ディスクからの反射ビームを検出する検出光学系がそれぞれ付加された複数のコヒーレント光源と、位相可変型波長板とを備え、前記位相可変型波長板が屈折率の波長分散関係の異なる液晶材料とフィルムとの組合わせから構成されており、前記液晶材料の配向方向と前記フィルムの配向方向とが互いに垂直で、かつ、前記位相可変型波長板によって得られる位相差φが、波長λn ＜λn+1 に対してφn ＜φn+1 であることを特徴とする。この光ピックアップの第７の構成によれば、それぞれの波長の光に対してほぼ１／４波長板として作用することのできる位相可変型波長板を実現することができ、偏光性の検出光学系を用いた場合であっても、安定に信号の検出を行うことができる。また、液晶材料への印加電圧を調整することによって特性の微調整を行うことができるので、環境温度が変化等した場合であっても、安定に１／４波長板として作用させることができる。さらに、位相可変型波長板への印加電圧を低減することができるので、さらに実用的なデバイスを実現することができる。
【手続補正８】
【補正対象書類名】明細書
【補正対象項目名】００３０
【補正方法】変更
【補正の内容】
【００３０】
また、前記本発明の光ピックアップの第４又は第５の構成においては、前記位相可変型波長板が屈折率の波長分散関係の異なる液晶材料とフィルムとの組合わせから構成されており、前記液晶材料の配向方向と前記フィルムの配向方向とが互いに垂直で、かつ、前記位相可変型波長板によって得られる位相差φが、波長λn ＜λn+1 に対してφn ＜φn+1 であるのが好ましい。
【手続補正９】
【補正対象書類名】明細書
【補正対象項目名】００３１
【補正方法】変更
【補正の内容】
【００３１】
また、前記本発明の光ピックアップの第３〜第７の構成においては、前記複数のコヒーレント光源が異なる波長（λ1 ＜λ2 ＜λ3 ）の光ビームをそれぞれ出射する３つのコヒーレント光源であり、前記３つのコヒーレント光源の波長が、それぞれ３７０ｎｍ＜λ1 ＜４３０ｎｍ、６３５ｎｍ＜λ2 ＜６９０ｎｍ、７６０ｎｍ＜λ3 ＜８１０ｎｍの範囲にあるのが好ましい。
【手続補正１０】
【補正対象書類名】明細書
【補正対象項目名】００３２
【補正方法】変更
【補正の内容】
【００３２】
また、前記本発明の光ピックアップの第４、第５又は第６の構成においては、前記位相可変型波長板が液晶材料から構成され、前記液晶材料への印加電圧を調整することによって複屈折性が変化するのが好ましい。
【手続補正１１】
【補正対象書類名】明細書
【補正対象項目名】００３３
【補正方法】変更
【補正の内容】
【００３３】
また、前記本発明の光ピックアップの第１〜第７の構成においては、同心円状の領域に分割され、前記コヒーレント光源と前記光ディスクとの間の光路中に挿入された可変位相板と、前記コヒーレント光源の各々から出射される各波長の光ビームを前記光ディスク上に集光する対物レンズとをさらに備え、前記可変位相板によって前記対物レンズで発生する球面収差が補償されるのが好ましい。この好ましい例によれば、良好な集光特性を得ることができる。